(57)【特許請求の範囲】
【請求項１】
液体と接触することでガスを発生するガス発生剤を保持した筒体が下端内部に挿入されたストローであって、前記筒体は断面非円形とされることでストロー内面との間にストローの長さ方向に貫通する液流路が形成され、前記ガス発生剤は一部が前記筒体の内面に接触することで筒体内に保持されるとともに筒体内面との間にストローの長さ方向に貫通する気液混合流路が形成されることを特徴とするストロー。
【請求項２】
請求項１に記載のストローにおいて、前記ガス発生剤は液体との反応生成物を内部に留めかつガス透過可能なバッグ内に収納されていることを特徴とするストロー。
【請求項３】
請求項１に記載のストローにおいて、前記筒体の上端開口はフィルタで塞がれるかガス発生剤の抜けを防止するストッパが設けられていることを特徴とするストロー。
【発明の詳細な説明】
【技術分野】
【０００１】
本発明はガスが高濃度に溶解した溶液を生成するストローに関する。
【背景技術】
【０００２】
容器内の飲料にガスを発生させるものとして特許文献１が知られている。この特許文献1には、マグネシウム粒と銀粒を充填し表面に小さな穴が形成されたセラミック製ケースが提案され、このケースを水中に浸すことで水とマグネシウムとが接触して水中に水素ガスが発生するようにしている。
【０００３】
特許文献２には、ストロー内に顆粒状の風味添加剤を充填し、例えばこのストローで牛乳を飲むと、風味添加剤が溶け出してミルクココアなどの味になる内容が開示されている。
【０００４】
また特許文献３には、ストロー内に一部が液体の流路になるように造形されたチョコレート柱を挿入した内容が開示されている。
【先行技術文献】
【特許文献】
【０００５】
【特許文献１】特開２００５−１６１２０９号公報
【特許文献２】特表２００１−５０２１７３号公報
【特許文献３】米国特許第５，０９４，８６１号公報
【発明の開示】
【発明が解決しようとする課題】
【０００６】
コーラなどの炭酸飲料は飲料中に炭酸ガスを過飽和に溶存させ、キャップを外して大気圧にすることで、飲料中に炭酸ガスを一気に発生させるようにしている。そのため、容器は高圧に耐えることができるプラスチック製、ガラス製、あるいはスチール缶、アルミ缶製となっていおり、安価な紙製の容器は使用されていない。
【０００７】
また最近、水素水も販売されているが、水素分子はきわめて小さく通常の容器では保存できないため、アルミ箔と樹脂フィルムとを何層も重ねた多層膜を使用するようにしている。しかしながら、それでも短時間のうちに水素ガスの多くは消失してしまう。
【０００８】
特許文献１に開示される内容は、セラミック製のケース内にマグネシウム粒と銀粒を充填しており、セラミック製ケースを薄厚に成形するのは困難であることを考えると、特許文献２の考えを応用してストロー内にマグネシウム粒と銀粒を充填したケースを装着することはありえない。
【０００９】
一方、風味添加剤の代わりにマグネシウム粒と銀粒を直接ストロー内に充填するのは手間がかかり、仮に充填した場合、瞬時に大量のガスが発生して、ストローが膨れて破れたり、ストローの吸い口から大量のガスとともに飲料が噴出してしまうことが考えられる。
市販されている炭酸飲料や水素水は飽和濃度近い濃度、あるいは過飽和の状態でガスが溶存しているからこそ、旨味を感じたり、体に有効に機能するのであるが、飲料が噴出するほど急激に大量のガスが発生するのは飲料として適さない。
尚、特許文献１のように徐々にガスを発生させることも可能であるが、この場合には、旨味を感じたり、体に有効に足るだけのガスの量を吸い込むことができない。
【００１０】
また特許文献３のチョコレート柱の代わりにガス発生剤を用いることも考えられるが、特許文献３のチョコレート柱の外径はストローの内径と略等しく且つ変形しにくい。その結果、チョコレート柱をストロー内に挿入するのに手間がかかり現実的ではない。
【課題を解決するための手段】
【００１１】
上記課題を解決するため本発明にかかるストローは、液体と接触することでガスを発生するガス発生剤を保持した筒体が下端内部に挿入され、前記筒体は断面非円形とされることでストロー内面との間にストローの長さ方向に貫通する液流路が形成され、前記ガス発生剤は一部が前記筒体の内面に接触することで筒体内に保持されるとともに筒体内面との間にストローの長さ方向に貫通する気液混合流路が形成されている。
【００１２】
前記ガス発生剤としては、粉体或いはロッド状などの所定形状に造形したものが考えられる。粉体の場合はバッグ内に収納する。この場合バッグとしてはガスは透過するが液体との接触によって生成される反応生成物の飛散を防止する不織布や紙からなるものが好ましい。
【００１３】
また、前記筒体の上端開口にはフィルタかストッパを設けることが好ましい。ガス発生剤がバッグ内に入っている場合は、フィルタを設ける必要はないが、バッグ内に入れずにロッド状などに造形した場合は、反応生成物を捕捉するためのフィルタを設けることが好ましい。
【発明の効果】
【００１４】
ストロー下端に挿入される筒体の形状が角筒状であるので、丸い筒（ストロー）に同形の筒体を挿入する場合に比べ、挿入の際に筒体を若干変形させるだけで簡単に挿入することができ、また挿入後は元の形に戻るためストロー下端に軽圧入された状態となり、ストローから落下したり、またストローを吸う際にストロー内で移動することもない。
【００１５】
また水素ガス、炭酸ガスまたは酸素ガスなどのガスを予め飲料内に充填し保持するのではなく、使用直前になって発生させるため、高圧に耐えられる容器やアルミ箔と樹脂フィルムとを何層も重ねた多層膜からなる容器を用意する必要がない。
更に、上記の効果をストローのみで発揮することができ、簡便で且つ安価である。
【００１６】
水素ガスの場合、水素ガスのみを吸引する場合には２％の濃度が予防医学的効果があるとされている。一方水素ガスを水に飽和させた水素水の場合、濃度（１気圧下）は１．６ｐｐｍ程度であるが、この濃度でも、水素水の方が２％濃度の水素ガスを吸引するよりも。医学的効果があることが報告されている。
【００１７】
またストローの内部で発生したガスを飲料と一緒に飲み込むため、逃げてしまうガスの量が少なく、ガスが高濃度に溶解した飲料とすることができる。
【図面の簡単な説明】
【００１８】
【図１】本発明に係るストローの全体図
【図２】同ストローの組み立て前の状態の要部拡大断面図
【図３】同ストローの組み立て後の状態の要部拡大断面図
【図４】（ａ）〜（ｂ）はストローの下端部を径方向に切断した断面図
【図５】同ストローの作用を説明した断面図
【図６】同ストローと紙パックとを組み合わせた製品例を示す図
【発明を実施するための最良の形態】
【００１９】
以下に本発明の実施例を説明する。
ストロー１は上端から約１／４の箇所に伸縮且つ折り曲げ可能な蛇腹部２が形成され、下部にはストローの径方向内方に突出したストッパ３が形成され、このストッパ３よりも下方にガス発生剤４を保持した筒体５が挿入され、ストロー１の下端開口は耐水性シール６で塞がれている。この耐水性シール６は使用前にガス発生剤４が水と接触してガスを発生するのを防止するものであり、使用の直前に剥がす。また耐水性シール６は未使用であることを確認するシールとしても機能する。
【００２０】
前記筒体５は例えばストローと同じプラスチックや紙製とし、断面形状は図４（ａ）、（ｂ）に示すように、三角形、四角形，六角径、楕円などの断面非円形筒状である。ストロー１が断面円形であるので、筒体５を挿入した状態でストロー１の内面と筒体５の外面との間にストローの長さ方向に沿った液体流路７が形成される。
【００２１】
前記ガス発生剤４は粉体をバッグに詰めるか、バインダと混練してロッド等に造形する。前記バッグとしては紙や不織布からなるもので、ガスは透過するがガス発生剤が液体と接触してできる反応生成物が外部に出ないものを用いる。
ガス発生剤４の形状はロッド状など前記筒体５とは異なる断面形状をしているため、ガス発生剤４と筒体５内面との間にストローの長さ方向に沿った気液混合流路８が形成される。
【００２２】
尚、ガス発生剤４としてバッグに入れずにロッド状などに造形したものを筒体５内に入れる場合は反応生成物を遮断するために、筒体５の上端開口にフィルタ９を設けることが好ましいが、ガス発生剤４をバッグに入れた場合にはフィルタの代わりにバー状のストッパで足りる。尚、ガス発生剤４がしっかりと筒体内に収まっている場合にはストッパは不要である。
【００２３】
また、前記ストッパ３がなくてもガス発生剤４を保持した筒体５の抵抗が大きいため口の中に吸い込まれるおそれはないが、筒体５をどの位置まで挿入するか目安になる。このためストッパ３は環状でなくてもスポット的に形成したものでもよい。
【００２４】
以上において図５に示すように、耐水性シール６を剥がして水の中にストロー１の下端を差し込むと、水は気液混合流路８内に侵入しガス発生剤４と接触して水素や炭酸ガスなどのガスを発生する。一方、液流路７はストローを吸い込む際に飲料のみが流れる。
これら、液流路７を通った飲料と気液混合流路８を通った気液混合飲料が合わさって口から飲まれる。
【００２５】
図６は本発明に係るストローを紙パック飲料とセットにした例を示す。この場合、ストロー１は耐水性樹脂シートから成る袋１０に入れて紙パック１１に取付ける。
【産業上の利用可能性】
【００２６】
本発明に係るストローは、ガス発生剤をかえることによって水素ガス、炭酸ガス或いは酸素ガス以外を発生させるストローとしても利用することができる。
【符号の説明】
【００２７】
１…ストロー、２…蛇腹部、３…ストッパ、４…ガス発生剤、５…筒体、６…シール、７…液流路、８…気液混合通路、９…フィルタまたはストッパ、１０…袋、１１…紙パック。
【要約】 
【課題】  簡単にガスを発生することが出来るストローを提供する。
【解決手段】  耐水性シール７を剥がして水の中にストロー１の下端を差し込むと、水は気液混合流路８に侵入してガス発生剤４の側面に接触してガスを発生する。発生したガスはストロー１内を通って水とともに摂取される。
【選択図】    図３【図１】
0005111675.tif 000002
【図２】
0005111675.tif 000003
【図３】
0005111675.tif 000004
【図４】
0005111675.tif 000005
【図５】
0005111675.tif 000006
【図６】
0005111675.tif 000007